(57)【要約】  プラグおよびソケット組み合わせ体は、光源と一緒に、標準の電気接続箱のみで各種の埋め込み式照明ハウジングなしで、埋め込み式照明器具の外観と効果を実現する。改築用に、プラグおよびソケット組み合わせ体は、既存の従来の埋め込み式照明ハウジングに使用することができる。【選択図】図１
2020510290.tif 000002
【特許請求の範囲】
【請求項１】
電気接続箱の面が表面と実質的に同一平面になるように位置決めされた前記電気接続箱にまたはその近くに配置され、電源供給配線に電気器具を接続するための、および前記電気接続箱に前記電気器具を取り付けるための装置であって、前記装置は、
内部に少なくとも１つの内部キャビティを有するソケット本体を含み、前記電気接続箱内に位置付けられるように構成されかつ寸法決めされ、前記電気接続箱に固定可能なソケットと、
前記電源供給電線と前記ソケットとの間の電気接続を確立するための前記キャビティ内に配置された導電性接触端子と、
前記電気器具に固定され、前記ソケットに挿入可能なプラグであって、前記プラグは、前記電気器具と前記電源供給配線との間の回路を確立するために、前記電気器具に電気的に接続されかつ前記ソケット内の前記接触端子と係合可能な、少なくとも１つの雄型コネクタを有するプラグと、
前記ソケットに前記プラグを取り外し可能に固定するための前記プラグと前記ソケットの組み合わせ体上に保持される取り外し可能ラッチと、
を備え、
前記プラグと前記ソケットは、前記電気器具が埋め込み式照明ハウジングなしで前記表面に対して位置決めされるように構成されかつ寸法決めされることを特徴とする装置。
【請求項２】
前記電気器具は、ＬＥＤ  ＰＣＢ光源である、請求項１に記載の装置。
【請求項３】
前記ＬＥＤ  ＰＣＢは、カバーを含む、請求項２に記載の装置。
【請求項４】
前記カバーは、リムを含む、請求項３に記載の装置。
【請求項５】
前記カバーの本体は、透明または半透明であり、前記リムは不透明である、請求項４に記載の装置。
【請求項６】
前記カバーは、照明効果をもたらすレンズ、フィルター、または他の光学素子を含む、請求項３または請求項５に記載の装置。
【請求項７】
前記光源および前記カバーの両方は、平坦な外形を有する、請求項３〜６のいずれかに記載の装置。
【請求項８】
前記光源および前記カバーの少なくとも１つは、ドーム型の外形を有する、請求項３〜６のいずれかに記載の装置。
【請求項９】
前記ソケットは、該ソケットを前記電気接続箱に固定するための前記ソケット本体に取り付けられた取り付けストラップを含む、請求項１〜５のいずれかに記載の装置。
【請求項１０】
前記取り付けストラップは、２つの脚を備えた略Ｕ字形である、請求項９に記載の装置。
【請求項１１】
前記脚の長さは、前記ソケット本体の高さの少なくとも２倍である、請求項１０に記載の装置。
【請求項１２】
前記脚の長さは、前記ソケット本体の高さとほぼ同じである、請求項１０に記載の装置。
【請求項１３】
前記電気接続箱は、第１の垂直に離間した一連の穴および第２の垂直に離間した一連の穴を含み、前記第１および第２の垂直に離間した一連の穴は、前記電気接続箱の対向面にある、請求項１２に記載の装置。
【請求項１４】
前記脚の長さは、調整可能である、請求項１０に記載の装置。
【請求項１５】
電気接続箱の面が表面と実質的に同一平面になるように位置決めされた前記電気接続箱にまたはその近くに配置され、電源供給配線に電気器具を接続するための、および前記電気接続箱に前記電気器具を取り付けるための装置を形成するために、ソケットと接続するプラグであって、前記プラグは、
前記電気器具と前記電源供給電線との間の電気接続を確立するために前記電気器具に電気的に接続されかつ前記ソケット内の接触端子と係合可能な、少なくとも１つの雄型コネクタと、
前記電気器具を支持体上に取り外し可能に取り付けるための前記プラグと前記ソケットの組み合わせ体に保持された取り外し可能なラッチと、
を備え、
前記プラグおよび前記ソケットは、前記電気器具が埋め込み式照明ハウジングなしで前記表面に対して位置決めされるように構成されかつ寸法決めされることを特徴とするプラグ。
【請求項１６】
プラグに固定された電気器具を機械的および電気的に接続する埋め込み式照明ハウジングのためのソケットであって、前記ソケットは、
第１の端部上にエジソン型ベースと第２の端部上にソケット本体とを有するエクステンダーであって、前記ソケットをハウジングに機械的および電気的に接続するために前記エジソン型ベースがハウジングのねじ部にねじ留め可能に結合可能である、エクステンダーと、
前記エクステンダーの第２の端部上にあるソケット本体であって、前記ソケット本体は、内部に少なくとも１つの内部キャビティを有し、前記ハウジングと前記ソケットとの間の電気接続を確立するための前記キャビティ内に配置された導電性接触端子を有する、ソケット本体と、
前記プラグを前記ソケットに取り外し可能に固定するための前記プラグと前記ソケットの組み合わせ体上に保持された取り外し可能なラッチと、
を備えるソケット。
【請求項１７】
前記エクステンダーは、固定長を有する、請求項１６に記載のソケット。
【請求項１８】
前記エクステンダーは、調整可能な長さを有する、請求項１６に記載のソケット。
【発明の詳細な説明】
【技術分野】
【０００１】
本開示は、電気コネクタおよび電気器具に関し、より詳細には、埋め込み式照明のための電気器具のクイック接続および取り付けを可能にする電気プラグおよびソケット組み合わせ体に関する。
【０００２】
関連特許および出願
本開示は、２０１６年５月１２日出願の国際特許出願番号ＰＣＴ／ＵＳ２０１６／０３２１７０号（ＷＯ２０１６／１８３３５４Ａ１として公開）、２０１８年３月５日出願の国際特許出願番号ＰＣＴ／ＵＳ２０１８／０２０９８７号、２００７年３月２０日出願の米国特許第７，４６２，０６６号、２００４年１２月２日出願の米国特許第７，１９２，３０３号、および２００１年１２月１２日出願の米国特許第６，９６２，４９８号、並びに２００５年１２月２日出願の米国特許出願公開第２００９０２８０６７３号、２０１５年５月１２日出願の米国仮出願第６２／１６０，５８５号、および２０１６年３月１５日出願の米国仮出願第６２／３０８，７１８号に関し、これらの開示内容全体は、引用により本明細書に組み込まれる。
【背景技術】
【０００３】
照明器具およびファンなどの電気器具および電化製品を壁や天井に組み込むための従来の手法では、通常、資格のある電気技師の助けおよびさまざまな工具および専用金具の使用が必要である。また、そのような器具を組み込むまたは取り外す手順は、経験豊富な設置業者が行う場合でも比較的時間がかかる場合もある。設置業者は、器具と電源供給配線との間の必須の電気接続を手動で配線する必要があることに加えて、器具を所定の位置に支持または吊り下げるための別個の機械的結合部を作る必要がある。
【０００４】
上記の関連特許および出願のセクションで特定された特許は、これらのおよび他の問題の解決策を開示する。これらの関連特許および出願は、壁または天井の電気接続箱で電気器具または電化製品のクイック接続を可能にするプラグおよびソケット組み合わせ体のさまざまな実施形態を開示する。ソケットは、電源供給配線の近くの壁または天井に固定され、プラグ上に保持された雄型電気ピン（ｐｒｏｎｇ）を受け取る雌型レセプタクルを含む。電気器具はプラグに固定される。このプラグおよびソケット組み合わせ体によって提供されるクイック電気接続に加えて、プラグとソケットとの間の機械的接続は、電気器具の機械的荷重を支える。
【０００５】
本開示は、埋め込み式照明が所望される際に使用するための、関連特許および出願におけるプラグおよびソケット組み合わせ体のさまざまな実施形態に関連する改善点を示す。
【０００６】
埋め込み式照明は、周囲照明および作業用照明の両方を家庭、オフィス、または所望する空間のほぼすべての領域に提供する多目的手段である。別名ポット照明、トイレ照明、またはダウンライトでも知られるこれらの照明は、壁または天井の上に取り付けられた表面ではなく、天井または壁（ほとんどの場合、天井）の中に取り付けられる。
【０００７】
埋め込み式照明は、２つの主要な部品であるハウジングとトリムとを含み、両方とも別個に選択される（多くの場合販売される）。ハウジングは、天井の上側にあり、光源および器具を取り付けるための手段などの全ての電気部品を含む。トリムとは、トリムスタイル、または光を案内する部品などの天井の下に見えるものを指している。
【０００８】
市販の多種多様な埋め込み式照明オプションの機能の違い他に、美的な違いもある。円形の白色照明器具の外観が特定の用途に魅力がない場合には他の選択肢を利用できる。異なる色またはメタリック仕上げのトリムリングを備えた埋め込み式ライトが利用できる。丸いスタイルがあまりにも単純であるかまたは陳腐である場合は、正方形のライト、ならびに異なる形状およびサイズを利用することもできる。
【発明の概要】
【課題を解決するための手段】
【０００９】
本開示は、電気接続箱の面が表面と実質的に同一平面になるように位置決めされた電気接続箱にまたはその近くに配置され、電源供給配線に電気器具を接続するための、および電気接続箱に電気器具を取り付けるための装置に関する、装置は、内部に少なくとも１つの内部キャビティを有するソケット本体を有するソケットを含む。ソケットは、電気接続箱内に位置付けられるように構成されかつ寸法決めされ、電気接続箱に固定可能である。導電性接触端子は、電源供給電線とソケットとの間の電気接続を確立するためにキャビティ内に配置される。
【００１０】
装置は、電気器具に固定され、ソケットに挿入可能なプラグをさらに含む。プラグは、電気器具と電源配線との間に回路を確立するために、電気器具に電気的に接続されてソケット内の接触端子と係合可能な、少なくとも１つの雄型コネクタを有する。取り外し可能なラッチは、ソケットにプラグを取り外し可能に固定するためのプラグおよびソケット組み合わせ体上に保持される。プラグとソケットは、電気器具が埋め込み式照明ハウジングなしで表面に対して位置決めされるように構成されかつ寸法決めされる。
【００１１】
１つの実施形態では、器具は、ＬＥＤ  ＰＣＢ光源である。ＬＥＤ  ＰＣＢは、カバーを含むことができる。カバー上にリムを設けることができる。一実施形態では、カバーの本体は透明または半透明であり、リムは不透明である。カバーは、照明効果をもたらすためのレンズ、フィルター、または他の光学素子を含むことができる。
【００１２】
いくつかの実施形態では、光源とカバーの両方は、平坦な外形を有する。他の実施形態において、光源およびカバーの少なくとも１つは、ドーム型の外形を有する。
【００１３】
ソケットは、該ソケットを電気接続箱に固定するためのソケット本体に取り付けられた取り付けストラップを含むことができる。一実施形態では、取り付けストラップは、２つの脚を備えた略Ｕ字形である。一実施形態では、脚部の長さは、ソケット本体の高さの少なくとも２倍である。別の実施形態では、脚の長さはソケット本体の高さとほぼ同じである。別の実施形態では、脚の長さは調整可能である。
【００１４】
電気接続箱は、第１の垂直に離間した一連の穴および第２の垂直に離間した一連の穴を含み、第１および第２の垂直に離間した一連の穴は、電気接続箱の対向面にある、
【００１５】
また、本開示は、電気接続箱の面が表面と実質的に同一平面になるように位置決めされた電気接続箱にまたはその近くに配置され、電源供給配線に電気器具を接続するための、および電気接続箱に電気器具を取り付けるための装置を形成するために、ソケットと接続するプラグに関する、プラグは、電気器具と電源供給電線との間の電気接続を確立するために電気器具に電気的に接続されかつソケット内の接触端子と係合可能な、少なくとも１つの雄型コネクタを備える。取り外し可能なラッチは、電気器具を支持体上に取り外し可能に取り付けるためにプラグとソケットの組み合わせ体に保持される。プラグおよびソケットは、電気器具が埋め込み式照明ハウジングなしで表面に対して位置決めされるように構成されかつ寸法決めされる。
【００１６】
また、本開示は、プラグに固定された電気器具を機械的および電気的に接続する埋め込み式照明ハウジングのためのソケットに関する。ソケットは、第１の端部上にエジソン型ベースと第２の端部上にソケット本体とを有するエクステンダーであって、ソケットをハウジングに機械的および電気的に接続するためにエジソン型ベースがハウジングのねじ部にねじ留め可能に結合可能である、エクステンダーと、エクステンダーの第２の端部上にあるソケット本体であって、ソケット本体は、内部に少なくとも１つの内部キャビティを有し、ハウジングとソケットとの間の電気接続を確立するためのキャビティ内に配置された導電性接触端子を有する、ソケット本体とを備える。取り外し可能なラッチは、プラグをソケットに取り外し可能に固定するために、プラグとソケットの組み合わせ体上に保持される。
【００１７】
１つの実施形態では、エクステンダーは固定長を有する。別の実施形態において、エクステンダーは調整可能な長さを有する。
【００１８】
本開示のより完全な理解およびそれに付随する利点および特徴は、添付の図面（説明の不可欠な部分を形成し、併せて読まれ、様々な図において同様の参照番号が同一の部品を指定するために使用される）と併せて考慮される場合、以下の詳細な説明を参照することによってより容易に理解されるであろう。
【図面の簡単な説明】
【００１９】
【図１】本開示によるクイック接続装置の埋め込み式照明プラグおよびソケット（レセプタクル）の実施形態の断面図である。ソケットは電気接続箱に組み込まれ、プラグはソケットに機械的および電気的に接続される。
【図２】図１の埋め込み式照明プラグおよびソケットの正面斜視図である。
【図３】図１の埋め込み式照明プラグおよびソケットの背面斜視図である。
【図４】電気接続箱に組み込む前の図１のソケットの斜視図である。
【図５】電気接続箱に組み込む前の図１のソケットの側面図である。
【図６】電気接続箱に組み込む前の図１のソケットの正面図である。
【図７】電気接続箱に組み込む前の図１のソケットの背面図である。
【図８】電気接続箱内に組み込まれた図１のソケットの斜視図である。
【図９】電気接続箱に組み込まれた図１のソケットの断面図である。
【図１０】電気接続箱に組み込まれた図１のソケットの正面図である。
【図１１】図１のプラグの斜視図である。
【図１２】図１のプラグの断面図である。
【図１３】図１のプラグの背面図である。
【図１４】図１のプラグの正面図である。
【図１５】図１のプラグの側面図である。
【図１６】本開示によるクイック接続装置の埋め込み式照明プラグおよびソケット（レセプタクル）の別の実施形態の断面図である。ソケットは電気接続箱に組み込まれ、プラグはソケットに機械的および電気的に接続される。
【図１７】図１６の埋め込み式照明プラグおよびソケットの斜視図である。
【図１８】図１６のプラグの斜視図である。
【図１９】図１６のプラグの断面図である。
【図２０】図１６のプラグの背面図である。
【図２１】図１６のプラグの正面図である。
【図２２】図１６のプラグの側面図である。
【図２３】本開示によるクイック接続装置の埋め込み式照明プラグおよびソケット（レセプタクル）の別の実施形態の断面図である。ソケットは電気接続箱に組み込まれ、プラグはソケットに機械的および電気的に接続される。
【図２４】図２３の埋め込み式照明プラグおよびソケットの別の断面図である。
【図２５】図２３の埋め込み式照明プラグおよびソケットの正面斜視図である。
【図２６】図２３の埋め込み式照明プラグおよびソケットの背面斜視図である。
【図２７】図２３の電気接続箱の正面図である。
【図２８】図２３の電気接続箱の斜視図である。
【図２９】図２３の電気接続箱に組み込まれたソケットの斜視図である。
【図３０】図２３の電気接続箱に組み込まれたソケットの上面図である。
【図３１】図２３の電気接続箱に組み込まれたソケットの断面図である。
【図３２】電気接続箱に組み込まれたソケットの別の実施形態の斜視図である。
【図３３】電気接続箱に組み込まれた図３２のソケットの断面図である。
【図３４】電気接続箱に組み込まれた図３２のソケットの正面図である。
【図３５】既存の埋め込み式照明ハウジングで使用できるプラグおよびソケット組み合わせ体の実施形態の斜視図である。
【図３６】プラグをソケットから外し状態での図３５のプラグおよびソケット組み合わせ体の斜視図である。
【図３７】図３５のプラグおよびソケット組み合わせ体の断面図である。
【図３８】ソケットから外したプラグを有する図３５のプラグおよびソケット組み合わせ体の断面図である。
【図３９】図３５のソケットの正面図である。
【図４０】図３５のソケットの断面図である。
【発明を実施するための形態】
【００２０】
必要に応じて、本明細書では実施形態を開示するが、開示された実施形態は、単なる実施例であり、以下に説明するシステム及び方法は様々な形態で具現化することができることを理解されたい。従って、本明細書で開示される特定の構造的及び機能的な詳細は、限定的に解釈されるべきではなく、単に請求項の基礎として、及び、本発明の主題を実質的に何らかの適切に詳述された構造及び機能の中で様々な形で使用する当業者に教示するための代表的な基礎として解釈されるべきである。さらに、本発明で使用する用語及び表現は、限定的であることが意図されておらず、むしろ、理解できる概念の説明をもたらすことが意図されている。
【００２１】
用語「１つの（ａ）」又は「１つの（ａｎ）」、は、本明細書で使用される場合、１又は２以上と定義される。用語「複数（ｐｌｕｒａｌｉｔｙ）」は、本明細書で使用される場合、２又は３以上と定義される。用語「別の（ａｎｏｔｈｅｒ）」は、本明細書で使用される場合、少なくとも第２の又はそれ以上と定義される。用語「含む（ｉｎｃｌｕｄｉｎｇ）」及び「有する（ｈａｖｉｎｇ）」は、本明細書で使用される場合、備えている（すなわち、開放型言語（ｏｐｅｎ  ｌａｎｇｕａｇｅ））と定義される。用語「結合される（ｃｏｕｐｌｅｄ）」という用語は、本明細書で使用される場合、「接続される（ｃｏｎｎｅｃｔｅｄ）」と定義されるが、必ずしも直接的ではなく、必ずしも機械的ではない。
【００２２】
本明細書の開示内容は、関連特許および出願のセクションで特定された参考文献で上述されたような発明者の従来の業務に関し、これらの各々の開示内容全体は、引用によって本明細書に組み込まれる。これに関して、プラグおよび／またはソケットは、２０１６年５月１２日出願の国際特許出願第ＰＣＴ／ＵＳ２０１６／０３２１７０号および２０１８年３月５日出願の国際特許出願番号ＰＣＴ／ＵＳ２０１８／０２０９８７号に開示されているように、検知状態を無線で送信するおよび信号を無線で受信するうちの少なくとも１つのための検知ユニットを含むことができる。
【００２３】
最初に図１〜図３を参照すると、この実施形態において光源１０２である電気器具を組み込むためのクイック接続装置１００は、プラグ１０４および嵌合ソケット１０６を組み合わせたもの備える。プラグ１０４およびソケット１０６は、光源１０２と一緒に、埋め込み式照明器具の外観および効果が、各種の埋め込み式照明ハウジングを使わずに、標準的な電気接続箱のみで達成されるように構成され寸法決めされる。本開示は、光源以外の電気器具を装置１００に使用できることを想定する。そのような器具または電気器具としては、限定されるものではないが、カメラ、セキュリティ装置、または電気配線から供給される電気で駆動される他の装置を挙げることができ、これは器具を支持または吊るすための機械的結合部を必要とする。
【００２４】
装置１００は、光源１０２と電源供給配線（電気接続箱１０８にまたはその近くに配置される）との間に電気的接続と、表面または基部、通常は天井（しかし壁や床面とすることもできる）の上に配置された電気接続箱１０８内の光源１０２の機械的支持の両方を確立するように機能する。プラグ１０４は、光源１０２にしっかりと固定されるが、ソケット１０６は、ねじ１１０で電気接続箱１０８に固定される。光源１０２は、ＬＥＤ  ＰＣＢとして示されているが、本開示は、任意の適切な光源の使用を想定している。
【００２５】
本明細書で別途示されるか説明されない限り、プラグ１０４および嵌合ソケット１０６の構造、機能、および動作は、例えば、引用により本明細書に組み込まれる特許および出願にすでに詳しく述べられている。従って、本開示は、プラグ１０４および嵌合ソケット１０６の構造、機能、および動作の相違点、並びに他の関連する改善点に焦点を当てる。
【００２６】
図４〜図１０から良く分かるように、ソケット１０６は、フェノール樹脂などの非導電性材料で形成された実質的に円筒形の本体１１２を備える。同心リング状の雌型埋め込み部またはスロット１１４がソケット１０６の一面に形成され、プラグ１０４とソケット１０６との間の電気的接続を確立するためにプラグ１０４上の後述する雄型コネクタリングを嵌合可能に受け入れるように構成される。ソケット１０６は、内部にしっかりと固定されたブッシング１１６が存在する中央貫通穴を含む。図示の実施形態では、ブッシング１１６は、細長い取り付けストラップ１１８を貫通して溶接などによってしっかりと固定される。しかしながら、本明細書では、ブッシング１１６およびストラップ１１８は、鋳造、機械加工、または他の金属加工プロセスなどによって、単一の金属などの高強度材料で形成された一体構造とすることができることに留意されたい。
【００２７】
取り付けストラップ１１８は、選択された長さ１２０（例えば、ソケット本体１１２の高さの少なくとも２倍）を有する概してＵ字型であり、電気接続箱１０８に組み込まれると、光源１０２は、埋め込み式照明器具の外観および効果をもたらす。取り付けストラップ１１８は、その外側先端またはフランジ１２４のそれぞれに開口１２２を備え、この開口は、取り付けストラップ１１８、結果的に装置１００全体を電気接続箱１０８に取り付けるためのねじ１００を受け入れる。ストラップ１１８のＵ字型構成は、図８〜１０に示すように、ソケット２４を電気接続箱の内に埋め込まれることを可能にする。
【００２８】
ソケット本体１１２は、後述するプラグ１０４上の対応する面と係合することが意図され、ソケット１０６へのプラグ１０４の進入を制限するストッパとして機能する環状面１２８を定める周囲ノッチ１２６を備える。プラグ１０４およびソケット１０６は、互いに対して回転するのを防ぐために、嵌合すると相互に係合するかまたはかみ合う複数の歯１３０（面上および／または周囲上）を備える。プラグ１０４およびソケット１０６の歯１３０が係合する前は、プラグ１０４およびソケット１０６は互いに対して自由に回転する。
【００２９】
ソケット本体１１２は複数のタブ１３２を含み、各々のタブ１３２は、電源供給電線を受け入れるための開口部１３４を有する。開口部１３４の正確なサイズは、所定の用途での電気配線のゲージに依存することになる。電源供給電線の被覆がはぎ取られた端部は、開口部１３４の１つに電線端部を挿入することによりソケット１０６に接続される。各々のタブ１３２は、引用により組み込まれている特許文献に開示されるように対応する１つの凹部１１４と電気的に接続される。タブ１３２は、本体１１２の側面に示されているが、一部の用途では、ソケット本体１２の上面を通って電源供給電線を送り込むことがより好都合であるかまたは可能性がある場合がある。この場合、電源供給電線は、ソケット本体１１２の上部に配置された同様にソケット１０６への電気的接続を確立するアクセス開口を通って位置付けることができる。
【００３０】
次に図１１〜図１５を参照すると、プラグ１０４は、非導電性材料で形成された本体１３６を含み、その一面に円筒形キャビティ１３８を含む。同心雄型コネクタリング１４０は、プラグ本体１３６に一体成形され、各リングの間には十分な半径方向の間隔があり、互いを電気的に絶縁するようになっている。雄型コネクタリング１４０の直径および間隔は、各リングがソケット１０６内の対応する雌型凹部１１４に整列可能でありその中に受け入れ可能となっている。各々のコネクタリング１４０は、エクステンションおよび光源１０２からの電気配線を含み、光源１０２はプラグ１０４に取り付けられ、光源１０２に電力を供給するためにエクステンションに電気的に接続される。
【００３１】
プラグ１０４およびそれに取り付けられた光源１０２は、引用により組み込まれた特許文献に詳細に記載されている、中央に配置された解除式スピンドル組立体１４２によってソケット１０６および取り付けストラップ１１８に機械的に結合される。つまり、スピンドル組立体１４２は、内部に一連の同軸ボアを有するバレル１４４と、バレル１４４内で軸方向にスライド可能なプランジャーまたはピン１４６とを含む。バレル１４４は、バレル１４４の半径方向開口内に捕らえられた複数の保持ボール１４８を含む。ピン１４６の上端は、保持ボール１４８が内側に変位することができる凹部またはボール止めを形成する縮径部を備える。通常、ピン１４６上のスリーブ付き圧縮ばねは、ピン１４６を付勢して下方向（外側）にラッチまたはロック位置まで移動させ、ピン１４６がブッシング１１６内の肩部に支えられるまで保持ボール１４８を外側に押し進める。バレル１４４の下端から延びる押しボタン１５０は、指または工具のいずれかを使用してスピンドル組立体１４２を作動させる手段を提供する。
【００３２】
光源１０２は、さまざまな方法のいずれかでプラグ１０４に固定することができる。例えば、光源１０２は、バレル１４４の下部にしっかりと取り付けることができる。図示のように、光源１０２は、バレル１４４に取り付けられたカバー１５２上に置かれる。いずの場合においても、光源１０２の重量は、バレル１４４、保持ボール１４８、およびブッシング１１６を介して、電気接続箱１０８に固定された取り付けストラップ１１８に伝達されることを理解できる。
【００３３】
カバー１５２は、埋め込み式照明器具に見られるトリムの外観をもたらすリム１５４を備えることができる。カバー１５２は、光源１０２の照明が透過するのを可能にするために透明プラスチックまたはガラスとすることができる。カバー１５２は、所望の照明効果をもたらすために、レンズ、フィルター、または他の光学要素を含むこともできる。
【００３４】
図１６〜図２２は、ソケット１０６および電気接続箱１０８で使用できるプラグ１６４の別の実施形態を示す。プラグ１６４の実施形態は、プラグ１０４の実施形態と概して同様であり、混乱を避けるために、同様なまたは類似した部品を指定するために同じ参照番号が使用される。プラグ１０４のような平坦な外形を有する代わりに、プラグ１６４はドーム型の外形を有する。この外形は、光源１０２および／またはカバー１５２の外形に基づいて選択または変更できることに留意されたい。
【００３５】
図２３〜図２６は、光源１０２と一緒に埋め込み式照明器具の外観と効果をもたらすソケット１６６およびプラグ１０４の組み合わせ体の別の実施形態を示す。ソケット１６６の実施形態は、概してソケット１０６の実施形態と同様であるので、混乱を避けるために、同様なまたは類似した部品を指定するために同じ参照番号が使用される。図２３〜図２６と図２９〜図３１を比較することで容易に明らかになるように、取り付けストラップ１１８の長さ１２０が異なる。ソケット１０６の場合、長さは延長されるが（すなわち、ソケット本体１１２の高さよりはるかに長い）、ソケット１６６の場合、長さはソケット本体１１２の高さとほぼ同じ大きさであり、引用されて組み込まれている特許文献に開示されているほとんどのソケットと一致する。
【００３６】
ソケット１６６に関して、埋め込み式照明器具の外観と効果は、電気接続箱１６８と組み合わせて達成される。最初の事項として、電気接続箱１６８は、電気接続箱１０８を変更することで（光源１０２の組み込み現場かまたは製造現場で）作ることができること、又は電気接続箱１６８は特注とすることができることに留意されたい。基本的に図２７および図２８を参照すると、電気接続箱１６８は、各コーナーに一連の垂直方向に離間した穴１７０を有する。穴１７０は、各コーナーに示されているが、穴１７０は２つの対向するコーナーのみに設けることができる。さらに、穴１７０は、少なくとも２つの対向する（または向かい合う）一連の穴１７０が存在する限りコーナーから離れて配置することができる。各々の穴１７０の位置および間隔は、電気接続箱１６８内のプラグ１６４の所望の垂直位置に合わせて選択される。
【００３７】
ブラケット１７２は、電気接続箱１６８の側面（またはコーナーの１つ）に固定され、別のブラケット１７２は、第１のブラケットの反対側に固定される。機械ねじ１７４（穴１７０の１つに挿入する）は、ブラケット１７２を電気接続箱１６８に固定するために使用することができる。本開示は、異なる位置が望まれる場合にブラケットが異なる穴１７０を移動することができる限り、ブラケット１７２を固定する他の方法（棚をキャビネット内に配置するために使用される方法など）を想定している。
【００３８】
ブラケット１７２は、ねじ１１０を受け入れるためのねじ穴１７６を含み、ソケット１６６が電気接続箱１６８に位置決めされると、フランジ１２４上の開口部１２２がねじ穴１７６と整列してソケット１６６を電気接続箱１６８に固定するようになっている（図２９〜図３１）。前述のように、使用される特定の穴１７０は、プラグ１０４がソケット１６６に結合される場合に、光源１０２が埋め込み式照明器具の外観および効果をもたらすように決定される。
【００３９】
図３２〜図３４は、光源１０２と一緒に埋め込み式照明器具の外観と効果を作り出すソケット１８６とプラグ１０４の組み合わせ体の別の実施形態を示す。ソケット１８６の実施形態は、ソケットの上記に開示された実施形態と概して同様であるので、混乱を避けるために、同様なまたは類似の部品を指定するために同じ参照番号が使用される。電気接続箱１０８が示されているが（すなわち、ソケット１８６は標準の電気接続箱で使用されるように設計される）、電気接続箱１６８を同様に使用することができる。
【００４０】
ソケット１８６は、長さが調整可能な取り付けストラップ１１８を有し、プラグ１０４および光源１０２がソケット１８６と結合される場合、ソケット１８６は、電気接続箱１０８内で埋め込み式照明器具の外観と効果を達成するために必要とされるものと同じ深さまたは浅さで配置することができる。取り付けストラップ１１８の長さを調整するための特定の機構（すなわち、複数の個別の位置のいずれか１つで２つの脚１９０、１９２を固定する位置決めねじ１８８）が使用されるが、調整可能な長さをもたらす何らかの適切な機構（不連続位置または連続位置での）を使用することもできる。
【００４１】
図３５〜図４０は、既存の従来の埋め込み式照明ハウジング２００で使用することのできるプラグおよびソケット組み合わせ体の実施形態を示す。エクステンダー２０２は、エジソン型ベース２０４を有し、ハウジング２００のねじ２０４にねじ込まれる。エクステンダー２０２は、固定長または可変長（図のように）を有することができる。エクステンダー２０２の長さを変更する他の機構が想定される。エクステンダー２０２は、機械的かつ電気的にソケット１０６に接続される。プラグ１０４および光源１０２が取り付けられる場合に、埋め込み式照明器具の外観および効果が得られる。これは、例えば、法規がプラグ１０４やソケット１０６などの安全装置を必要とする場合に有益となり得る。
【００４２】
図３５〜図４０に示すように、ばね２０６は、第１および第２の伸縮部２１０、２１２を含むハウジング２０８の内部に配置される。ばね２０６は、エクステンダー２０２を伸長位置に付勢し、ねじ２１４によってより短い長さに調整することができる。ハウジングからエジソン型ベース２０４を介してソケット１０６まで電気を伝える配線２１６（明確にするために図３７にのみ示される）は、ばね２０６によって囲まれた空間の外側または内側に配置することができ、またはばね２０６自体の内部に配置することができる。
【００４３】
本明細書で引用される全ての参考文献は、引用によりその全体が明白に組み入れられる。本開示は、本明細書において特に示され上述されたものに限定されるものではないことが、当業者には理解されるであろう。さらに、上記にそうでないことが述べられていない限り、添付図面の全ては縮尺通りに描かれていないことに留意されたい。本開示に対する多くの異なる特徴があり、これらの特徴は、一緒に又は別個に用いることができると考えられる。従って、本開示は、特徴のいずれかの特定の組み合わせにも、又は本開示の特定の用途にも限定されるものではない。さらに、本開示の趣旨及び範囲内の変形及び修正が、開示に関与する当業者には思い浮かぶであろうことを理解されたい。従って、当業者であれば、本開示の範囲及び趣旨の範囲内の本明細書で述べられる開示から容易に得ることができる全ての好都合の修正は、本開示の更に別の実施形態として含まれる。
【符号の説明】
【００４４】
１００  装置
１０２  光源
１０４  プラグ
１０６  ソケット
１０８  電気接続箱
１１０  ねじ
１１２  円筒形本体
１１６  ブッシング
１１８  取り付けストラップ
１２０  取り付けストラップの長さ
１２４  フランジ
１３６  本体
１３８  円筒形キャビティ
１４２  スピンドル組立体
１４４  バレル
１４６  ピン
１５０  押しボタン
１５２  カバー
１５４  リム
【図１】
2020510290.tif 000003
【図２】
2020510290.tif 000004
【図３】
2020510290.tif 000005
【図４】
2020510290.tif 000006
【図５】
2020510290.tif 000007
【図６】
2020510290.tif 000008
【図７】
2020510290.tif 000009
【図８】
2020510290.tif 000010
【図９】
2020510290.tif 000011
【図１０】
2020510290.tif 000012
【図１１】
2020510290.tif 000013
【図１２】
2020510290.tif 000014
【図１３】
2020510290.tif 000015
【図１４】
2020510290.tif 000016
【図１５】
2020510290.tif 000017
【図１６】
2020510290.tif 000018
【図１７】
2020510290.tif 000019
【図１８】
2020510290.tif 000020
【図１９】
2020510290.tif 000021
【図２０】
2020510290.tif 000022
【図２１】
2020510290.tif 000023
【図２２】
2020510290.tif 000024
【図２３】
2020510290.tif 000025
【図２４】
2020510290.tif 000026
【図２５】
2020510290.tif 000027
【図２６】
2020510290.tif 000028
【図２７】
2020510290.tif 000029
【図２８】
2020510290.tif 000030
【図２９】
2020510290.tif 000031
【図３０】
2020510290.tif 000032
【図３１】
2020510290.tif 000033
【図３２】
2020510290.tif 000034
【図３３】
2020510290.tif 000035
【図３４】
2020510290.tif 000036
【図３５】
2020510290.tif 000037
【図３６】
2020510290.tif 000038
【図３７】
2020510290.tif 000039
【図３８】
2020510290.tif 000040
【図３９】
2020510290.tif 000041
【図４０】
2020510290.tif 000042
【国際調査報告】
2020510290.tif 000043
2020510290.tif 000044